(57)【要約】【課題】チャットメールを受信したときに、表示画面を見なくてもチャットメールの発信者やメール内容等を聴覚により認識できるようにする。【解決手段】制御部１１は、チャットメール受信部１がチャットメールを受信したとき、データ格納部４のチャットメンバ管理データにより指定されるメンバ個別の着信音のサウンドデータをデータ格納部９から読み出して着信音生成部５へ供給する。また、チャットメンバ管理データにテキスト読上げ機能ＯＮの指定がされているならば、読上げテキスト作成部６に読上げ用テキストを作成させる。その後、受信チャットメールの表示を表示画面制御部２に指示して表示部３に表示させ、着信音生成部５に生成させた着信音を音声出力部８を経由してスピーカ９から一定時間送出させた後、読上げ用テキストを音声合成部７へ供給して音声信号に変換させ、音声出力部８を経由してスピーカ９から送出させる。【選択図】      図１
2006060431.tif 000002
【特許請求の範囲】
【請求項１】
チャットメンバ管理データに基づきネットワークを介してチャットメンバとチャットメールを交換する機能を有する携帯電話端末であって、前記携帯電話端末は、チャットメンバのメールアドレス、メンバ名等の個人情報及び着信音情報が登録されたチャットメンバ管理データと、チャットメールを受信すると前記チャットメンバ管理データを参照し当該チャットメールの発信者に対応した当該メンバについての情報を検索する登録情報検索手段と、この登録情報検索手段が検索した着信音情報にしたがって着信音を生成する手段とを含むことを特徴とする携帯電話端末。
【請求項２】
前記着信音情報はチャットメンバに個別に設定できることを特徴とする請求項１記載の携帯電話端末。
【請求項３】
前記着信音を生成する手段は、前記着信音情報に着信音の指定がない場合には、自動的に決まる所定の着信音を生成することを特徴とする請求項１又は２記載の携帯電話端末。
【請求項４】
前記携帯電話端末は、受信チャットメールのメッセージを読上げる読上げ手段を含み、前記チャットメンバ管理データには前記読上げ手段の起動情報が登録されていることを特徴とする請求項１、２又は３記載の携帯電話端末。
【請求項５】
前記読上げ手段の起動情報が前記登録情報検索手段によって検索されると前記読上げ手段は、受信チャットメールのメッセージを読上げて音声出力することを特徴とする請求項４記載の携帯電話端末。
【請求項６】
前記読上げ手段は、読上げ用のテキストを作成する手段と、前記テキストにしたがって音声信号を合成する手段と、この音声合成手段の出力信号を音声として送出する手段とを含むことを特徴とする請求項５記載の携帯電話端末。
【請求項７】
前記読上げ手段は、チャットメールの発信メンバ名も含めて読上げることを特徴とする請求項５又は６記載の携帯電話端末。
【請求項８】
チャットメンバ管理データに基づきネットワークを介してチャットメンバとチャットメールを交換する機能を有する携帯電話端末のメール受信通報方法であって、チャットメールを受信すると前記チャットメンバ管理データに登録されたチャットメンバのメールアドレス、メンバ名等の個人情報及び着信音情報に基づき当該チャットメールの発信者に対応した当該メンバについての着信音情報にしたがって着信音を生成して通報することを特徴とする携帯電話端末のメール受信通報方法。
【請求項９】
チャットメンバ管理データに基づきネットワークを介してチャットメンバとチャットメールを交換する機能を有する携帯電話端末のメール受信通報方法であって、チャットメールを受信すると前記チャットメンバ管理データに登録されたチャットメンバのメールアドレス、メンバ名等の個人情報及びメッセージ読上げ機能の起動情報に基づき当該チャットメールの発信者に対応した当該メンバについての読上げ機能の起動情報にしたがってメッセージを読上げて通報することを特徴とする携帯電話端末のメール受信通報方法。
【請求項１０】
チャットメンバ管理データに基づきネットワークを介してチャットメンバとチャットメールを交換する機能を有する携帯電話端末のメール受信通報方法であって、チャットメールを受信すると前記チャットメンバ管理データに登録されたチャットメンバのメールアドレス、メンバ名等の個人情報着信音情報及びメッセージ読上げ機能の起動情報に基づき当該チャットメールの発信者に対応した当該メンバについての着信音情報にしたがって着信音を生成し、読上げ機能の起動情報にしたがってメッセージを読上げて通報することを特徴とする携帯電話端末のメール受信通報方法。
【発明の詳細な説明】
【技術分野】
【０００１】
本発明は携帯電話端末および携帯電話端末におけるメール受信通報方法に関し、特にネットワークを介してチャットメンバ同士でチャットメールを交換する機能を有する携帯電話端末およびそのメール受信通報方法に関する。
【背景技術】
【０００２】
電話端末を使用して仲間同士でチャットを行うことが普及している。チャットとは、ネットワークを介して仲間同士（チャットメンバと称する）で、あたかも会話をしているようにリアルタイムにメッセージ交換することである。
【０００３】
一般にチャットを行う場合、チャットサーバ（チャット専用のサーバ）上にあるＣＧＩファイル（ＣＧＩ：Ｃｏｍｍｏｎ  Ｇａｔｅｗａｙ  Ｉｎｔｅｒｆａｃｅ）を実行することにより、自分の書き込んだ内容がチャットサーバを介しチャットメールとして他のメンバに配信されると共に、他のメンバの書き込んだ内容がチャットサーバを介しチャットメールとして自分の端末に受信されディスプレイ上に表示される（例えば特許文献１）。
【０００４】
また、最近の携帯電話機には、チャットサーバを使用せずに既存のメールサーバを利用して擬似的にチャットを実現する機能（モバイルチャット機能）が搭載されているものがある（例えば、株式会社エヌ・ティ・ティ・ドコモから発売された２５２ｉシリーズや５０５ｉＳシリーズの携帯電話機）。
【０００５】
この携帯電話機を使用してチャットを行う場合は、メニュー項目からチャットを選択してチャット機能を起動し、チャットメンバのメールアドレスや名前等をチャットメンバ管理データとして登録する。
【０００６】
携帯電話機のチャット機能により送信されたメールを受信した場合、メールのタイトルはチャットメールを示し、チャットメールの発信者がチャットメンバ管理データに登録されているならば、チャットメールとして処理し、例えば図３に示すようなチャット表示画面を表示する。
【０００７】
ここで、図３（ａ）は、太郎と花子とがチャットを開始し、まず、太郎からチャットメンバの花子へメッセージ「こんにちわ」を送信した後、花子からメッセージ「元気？」を受信完了したときの画面である。同図（ｂ）は、その後、太郎から花子へメッセージ「はいはい」を送信完了したときの画面である。このように、既存のメールサーバを利用して擬似的にチャットを実現している。
【０００８】
【特許文献１】特開平１１−２７２６１０号公報
【発明の開示】
【発明が解決しようとする課題】
【０００９】
しかしながら、上述したチャットサーバを介してチャットを行う場合、またチャットサーバに依存せずにチャットを行う場合のいずれにおいても、端末や携帯電話機の表示画面を見ながらメッセージ交換することを前提としている。
【００１０】
すなわち、チャットメールが受信されたとき、チャットメールの着信を通報する固定の着信音が鳴動してメッセージは画面表示されるだけである。
【００１１】
このため、どのメンバの発信したメールなのか、またどのような内容のメールなのかを知るためには、その都度、表示画面を見なければならず、別の仕事をしながらチャットを行う場合には、その都度、仕事を中断しなければならないので、なにかと不便である。
【００１２】
本発明の目的は、携帯電話端末がチャットメールを受信した場合に、携帯電話端末の表示画面を見なくても、チャットメールの発信者やメール内容等を聴覚により知ることができ、ユーザの利便性を向上できる携帯電話端末を提供することにある。
【課題を解決するための手段】
【００１３】
本発明によれば、チャットメンバ管理データに基づきネットワークを介してチャットメンバとチャットメールを交換する機能を有する携帯電話端末であって、前記携帯電話端末は、チャットメンバのメールアドレス、メンバ名等の個人情報及び着信音情報が登録されたチャットメンバ管理データと、チャットメールを受信すると前記チャットメンバ管理データを参照し当該チャットメールの発信者に対応した当該メンバについての情報を検索する登録情報検索手段と、この登録情報検索手段が検索した着信音情報にしたがって着信音を生成する手段とを含むことを特徴とする携帯電話端末が得られる。
【００１４】
前記着信音情報はチャットメンバに個別に設定できる。
【００１５】
前記着信音を生成する手段は、前記着信音情報に着信音の指定がない場合には、自動的に決まる所定の着信音を生成するようにしてもよい。
【００１６】
本発明の実施の形態によれば、前記携帯電話端末は、受信チャットメールのメッセージを読上げるための読上げ手段を含み、前記チャットメンバ管理データには前記読上げ手段の起動情報が登録されている。
【００１７】
前記読上げ手段の起動情報が前記登録情報検索手段によって検索されると前記読上げ手段は、受信チャットメールのメッセージを読上げて音声出力することを特徴とする。
【００１８】
前記読上げ手段は、読上げ用のテキストを作成する手段と、前記テキストにしたがって音声信号を合成する手段と、この音声合成手段の出力信号を音声として送出する手段とを含む。
【００１９】
前記読上げ手段は、チャットメールの発信メンバ名も含めて読上げるようにしてもよい。
【００２０】
また、本発明によれば、チャットメンバ管理データに基づきネットワークを介してチャットメンバとチャットメールを交換する機能を有する携帯電話端末のメール受信通報方法であって、チャットメールを受信すると前記チャットメンバ管理データに登録されたチャットメンバのメールアドレス、メンバ名等の個人情報及び着信音情報に基づき当該チャットメールの発信者に対応した当該メンバについての着信音情報にしたがって着信音を生成して通報することを特徴とする携帯電話端末のメール受信通報方法が得られる。
【００２１】
さらに、本発明によれば、チャットメンバ管理データに基づきネットワークを介してチャットメンバとチャットメールを交換する機能を有する携帯電話端末のメール受信通報方法であって、チャットメールを受信すると前記チャットメンバ管理データに登録されたチャットメンバのメールアドレス、メンバ名等の個人情報及びメッセージ読上げ機能の起動情報に基づき当該チャットメールの発信者に対応した当該メンバについての読上げ機能の起動情報にしたがってメッセージを読上げて通報することを特徴とする携帯電話端末のメール受信通報方法が得られる。
【００２２】
本発明のよれば、また、チャットメンバ管理データに基づきネットワークを介してチャットメンバとチャットメールを交換する機能を有する携帯電話端末のメール受信通報方法であって、チャットメールを受信すると前記チャットメンバ管理データに登録されたチャットメンバのメールアドレス、メンバ名等の個人情報着信音情報及びメッセージ読上げ機能の起動情報に基づき当該チャットメールの発信者に対応した当該メンバについての着信音情報にしたがって着信音を生成し、読上げ機能の起動情報にしたがってメッセージを読上げて通報することを特徴とする携帯電話端末のメール受信通報方法が得られる。
【発明の効果】
【００２３】
本発明によれば、チャットメンバ管理データとして、チャットメンバのメールアドレス、メンバ名等の個人情報、および着信音種別、メール読上げ機能ＯＮ／ＯＦＦ等の音声処理条件を予め登録しておき、チャットメール受信時にチャットメンバ管理データを検索しメンバ個別の着信音を送出することにより、ユーザは表示画面を見なくても、着信音を聴いて発信メンバを識別でき、ユーザの利便性を向上できる。
【００２４】
また、テキスト読上げ機能ＯＮを指定しておくことにより、ユーザは表示画面を見なくても、受信したメッセージ内容や発信メンバ名を音声で知ることができ、ユーザの利便性を向上できる。
【発明を実施するための最良の形態】
【００２５】
次に本発明について図面を参照して説明する。
【００２６】
図１は本発明の一実施形態に係る携帯電話端末を示すブロック図である。
【００２７】
同図において、ネットワークを介してチャットメンバからのチャットメールを受信するチャットメール受信部１と、受信したチャットメールの発信メンバ名やメール本文等を表示部３の画面上に表示させる表示画面制御部２と、各チャットメンバのメールアドレス等の個人情報や着信音種別等の音声処理条件および表示文字色等の表示処理条件等のチャットメンバ管理データおよび複数の着信音のサウンドデータやチャットメールデータ等を格納するデータ格納部４とを有している。
【００２８】
また携帯電話端末は、チャットメンバ管理データに指定されている着信音を生成する着信音生成部５と、受信したチャットメールのデータから読上げ用テキストを作成する読上げテキスト作成部６と、読上げ用テキストを音声信号に変換して出力する音声合成部７と、着信音生成部５および音声合成部７から出力される音声信号を増幅してスピーカ９へ送出する音声出力部８と、ユーザが操作して各種指示を行う操作部１０と、各部を制御する制御部１１とを有している。
【００２９】
データ格納部４に格納されるチャットメンバ管理データは、各チャットメンバ毎のメールアドレス、メンバ名（メンバに割り当てられているハンドルネームを含む）等の個人情報、およびチャットメール受信時の着信音種別、メール読上げ機能ＯＮ／ＯＦＦや読上げ音声種別等の音声処理条件、ならびに表示文字色や背景色、表示画像等の表示処理条件であり、これらチャットメンバ管理データはユーザにより登録更新される。
【００３０】
図２は携帯電話端末の制御部１１のチャットメール受信時における動作を示すフローチャートである。
【００３１】
図１および図２を参照して動作を説明する。
【００３２】
データ格納部４に予め登録されるチャットメンバ管理データは、チャットメンバ毎の着信音種別やテキスト読上げ機能ＯＮ／ＯＦＦ、読上げ音声種別（女性の声／男性の声）等の音声処理条件、表示処理条件等である。
【００３３】
チャットメール受信部１がチャットメールを受信完了したならば（ステップ１０１）、このチャットメールの発信メンバのメールアドレスに基づいてチャットメンバ管理データを検索し、メンバ個別の着信音が指定されているか否かをチェックする（ステップ１０２）。
【００３４】
メンバ個別の着信音が設定されている場合は、該当するサウンドデータをデータ格納部９から読み出して着信音生成部５へ供給する（ステップ１０３）。
【００３５】
また、メンバ個別の着信音が設定されていない場合は、予め定められた固定のサウンドデータをデータ格納部９から読み出して着信音生成部５へ供給する（ステップ１０４）。
【００３６】
次に、チャットメールの発信メンバのメールアドレスに基づいてチャットメンバ管理データを検索し、テキスト読上げ機能ＯＮ（有効）かＯＦＦ（無効）かをチェックする（ステップ１０５、１０６）。
【００３７】
ステップ１０２においてメンバ個別の着信音が設定され、ステップ１０５においてテキスト読上げ機能ＯＮの場合、読上げテキスト作成部６に対し受信チャットメールに基づき所定の読上げ用テキストを作成するように指示する（ステップ１０７）。
【００３８】
その後、受信チャットメールの内容を表示するように表示画面制御部２に指示し、例えば図３に示すようなチャット表示画面を表示部３に表示させる（ステップ１０８）。
【００３９】
なお、図３では、ユーザの発信済みメッセージと、受信チャットメールの発信メンバ名とその顔画像およびメーセージ本文を表示している。
【００４０】
そして、発信メンバに対応する着信音を着信音生成部５に生成させて音声出力部８を経由してスピーカ９から一定時間送出させた後（ステップ１０９）、読上げテキスト作成部６により作成された読上げ用テキストを音声合成部７へ供給して音声信号に変換させ、音声出力部８を経由してスピーカ９から送出させる（ステップ１１０）。
【００４１】
読上げテキスト作成部６は、受信チャットメールの読上げ対象のメッセージ部分を抽出して、読上げ用テキストを作成する。
【００４２】
ステップ１０２においてメンバ個別の着信音が設定され、ステップ１０５においてテキスト読上げ機能ＯＦＦの場合は、受信チャットメールの内容を表示するように表示画面制御部２に指示して表示部３に表示させた後（ステップ１１１）、発信メンバに対応する着信音を着信音生成部５に生成させて音声出力部８を経由してスピーカ９から一定時間送出させる（ステップ１１２）。
【００４３】
一方、ステップ１０２においてメンバ個別の着信音が設定されておらず、ステップ１０６においてテキスト読上げ機能ＯＮの場合、読上げテキスト作成部６に対し受信チャットメールの読上げ対象データから読上げ用テキストを作成するように指示する（ステップ１１３）。
【００４４】
その後、受信チャットメールの内容を表示するように表示画面制御部２に指示して表示部３に表示させる（ステップ１１４）。
【００４５】
そして、発信メンバに対応する着信音を着信音生成部５に生成させて音声出力部８を経由してスピーカ９から一定時間送出させた後（ステップ１１５）、読上げテキスト作成部６により作成された読上げ用テキストを音声合成部７へ供給して音声信号に変換させ、音声出力部８を経由してスピーカ９から送出させる（ステップ１１６）。
【００４６】
ステップ１０２においてメンバ個別の着信音が設定されておらず、ステップ１０６においてテキスト読上げ機能ＯＦＦの場合は、受信チャットメールの内容を表示するように表示画面制御部２に指示して表示部３に表示させた後（ステップ１１７）、予め定められた固定の着信音を着信音生成部５に生成させて音声出力部８を経由してスピーカ９から一定時間送出させる（ステップ１１８）。
【００４７】
このように、チャットメンバ管理データにメンバ個別の着信音が指定されているか否か、およびテキスト読上げ機能の指定がＯＮなのかＯＦＦなのかによって、４通りの処理を行うことができる。
【００４８】
また、チャットメンバにメンバ個別の着信音を設定しておくことにより、チャットメールを受信したときに着信音を聴くことによって、表示画面を見なくても発信メンバを識別できる。また、テキスト読上げ機能ＯＮを指定しておくことにより、表示画面を見なくても、受信したメッセージ内容を音声で知ることができる。
【００４９】
なお、読上げ用テキスト作成する場合、発信メンバの名前（ハンドルネーム等）も含む読上げ用テキストを作成し、発信メンバの名前およびメッセージを読上げるようにしてもよい。
【図面の簡単な説明】
【００５０】
【図１】本発明の一実施形態に係る携帯電話端末を示すブロック図である。
【図２】図１に示した制御部１１のチャットメール受信時の動作を示すフローチャートである。
【図３】チャット表示画面の一例を示す図である。
【符号の説明】
【００５１】
１    チャットメール受信部
２    表示画面制御部
３    表示部
４    データ格納部
５    着信音生成部
６    読上げテキスト作成部
７    音声合成部
８    音声出力部
９    スピーカ
１０    操作部
１１    制御部
【図１】
2006060431.tif 000003
【図２】
2006060431.tif 000004
【図３】
2006060431.tif 000005